(57)【要約】【課題】表示部の支持機能あるいはスイベル機能をより高いレベルで両立させやすい構成を備えた表示装置および電子機器を得る。【解決手段】電子機器および表示装置にあっては、台座部と、起立した表示画面を有した表示部と、台座部上に突出した突出部を有し、表示部に接続され、上下方向に延びた回動軸を中心として台座部に回動可能に支持された接続部と、を備え、回動軸が、突出部の上下方向に沿った中心軸に対して表示画面側に配置された。【選択図】図５
2012098414.tif 000002
【特許請求の範囲】
【請求項１】
台座部と、
起立した表示画面を有した表示部と、
前記台座部上に突出した突出部を有し、前記表示部に接続され、上下方向に延びた回動軸を中心として前記台座部に回動可能に支持された接続部と、
を備え、
前記回動軸が、前記突出部の上下方向に沿った中心軸に対して前記表示画面側に配置されたことを特徴とする表示装置。
【請求項２】
前記接続部が、前記台座部の上下二つの部材によって挟持されて前記回動軸を中心とする環状の被挟持部を有し、
前記突出部が前記被挟持部の径内側に接続されるとともに、前記台座部の上側の前記部材に設けられた貫通孔を貫通したことを特徴とする請求項１に記載の表示装置。
【請求項３】
一端側が前記被挟持部に接続され他端側が前記突出部に接続された架設部材を備えたことを特徴とする請求項２に記載の表示装置。
【請求項４】
前記突出部の下面に被支持部が設けられたことを特徴とする請求項２または３に記載の表示装置。
【請求項５】
前記被支持部が、下方に露出した転動可能なローラを有したことを特徴とする請求項４に記載の表示装置。
【請求項６】
前記台座部の上下二つの前記部材のうち少なくとも一方と前記被挟持部との間に挟まれて前記部材および前記被挟持部のうち少なくとも一方と摺接する摺接プレートを備えたことを特徴とする請求項２〜５のうちいずれか一つに記載の表示装置。
【請求項７】
前記摺接プレートの摺接面に、周方向に沿った溝またはリブが設けられたことを特徴とする請求項６に記載の表示装置。
【請求項８】
前記被挟持部の径内側の内面が、前記回動軸を中心とする回転体の一部として構成されるとともに、前記貫通孔を介して露出し、
前記突出部が、前記回動軸を含む平面の一部となる鏡面を有したことを特徴とする請求項２〜７のうちいずれか一つに記載の表示装置。
【請求項９】
台座部と、
起立した表示画面を有した表示部と、
前記表示部に接続され、上下方向に延びた回動軸を中心として前記台座部に回動可能に支持された接続部と、
を備え、
前記接続部が、前記回動軸に対して当該回動軸の径方向の一方側に偏った状態で前記台座部上に露出した露出部を有したことを特徴とする表示装置。
【請求項１０】
台座部と、
起立した表示画面を有した表示部と、
前記台座部上に突出した突出部を有し、前記表示部に接続され、上下方向に延びた回動軸を中心として前記台座部に回動可能に支持された接続部と、
を備え、
前記回動軸が、前記突出部の上下方向に沿った中心軸に対して前記表示画面側に配置されたことを特徴とする電子機器。
【請求項１１】
表示画面を有した表示部と、
少なくとも一部が円弧形状を有する開口部が設けられた基部と、
前記表示部を支持するとともに、前記円弧形状の内周側に位置されて、前記開口部に沿って移動可能に前記基部と連結された接続部と、
を備えた電子機器。
【発明の詳細な説明】
【技術分野】
【０００１】
本発明の実施形態は、表示装置および電子機器に関する。
【背景技術】
【０００２】
従来、表示画面を有した表示部が、台座部に、支柱部分を介して、上下方向に沿った回動軸回りに回動可能に支持された所謂スイベル機構を備えた表示装置が、知られている。
【先行技術文献】
【特許文献】
【０００３】
【特許文献１】特開２００４−１５０５１５号公報
【発明の概要】
【発明が解決しようとする課題】
【０００４】
この種の表示装置や電子機器で、支柱部分の中心軸とスイベル機構の回動軸とが一致した構成では、例えば、部品レイアウトや、剛性、強度、美観等の観点から設定された支柱部分のレイアウトによって、回動軸の位置が定まることになるため、支持機能およびスイベル機能をより高いレベルで両立させるのが難しい場合があった。
【０００５】
そこで、本発明の実施形態は、表示部の支持機能あるいはスイベル機能をより高いレベルで両立させやすい構成を備えた表示装置および電子機器を得ることを、目的の一つとする。
【課題を解決するための手段】
【０００６】
本発明の実施形態にかかる表示装置にあっては、台座部と、起立した表示画面を有した表示部と、前記台座部上に突出した突出部を有し、前記表示部に接続され、上下方向に延びた回動軸を中心として前記台座部に回動可能に支持された接続部と、を備え、前記回動軸が、前記突出部の上下方向に沿った中心軸に対して前記表示画面側に配置されたことを特徴の一つとする。
【図面の簡単な説明】
【０００７】
【図１】図１は、実施形態にかかる電子機器としての表示装置を前面側から見た斜視図である。
【図２】図２は、実施形態にかかる表示装置の側面図である。
【図３】図３は、実施形態にかかる表示装置を後面側から見た斜視図である。
【図４】図４は、実施形態にかかる表示装置の接続部を前面側から見た斜視図である。
【図５】図５は、実施形態にかかる表示装置の台座部および接続部の外観を示す斜視図である。
【図６】図６は、実施形態にかかる表示装置の台座部および接続部の分解斜視図である。
【図７】図７は、実施形態にかかる表示装置の台座部および接続部をトップカバーが外された状態で示した平面図である。
【図８】図８は、図７のVIII−VIII断面図である。
【図９】図９は、図７のIX−IX断面図である。
【図１０】図１０は、実施形態にかかる表示装置の摺接リングの斜視図である。
【図１１】図１１は、実施形態にかかる表示装置の接続部の本体部の斜視図である。
【図１２】図１２は、実施形態にかかる表示装置の台座部および接続部をトップカバーおよび上側部材が外された状態で示した平面図であって、（ａ）は、接続部が回動範囲の中央に位置した状態を示す図、（ｂ）は、接続部が回動範囲の一端に位置した状態を示す図、（ｃ）は、接続部が回動範囲の他端に位置した状態を示す図である。
【図１３】図１３は、実施形態にかかる表示装置における表示部の回動範囲を模式的に示す平面図である。
【図１４】図１４は、実施形態にかかる表示装置の接続部を下面側から見た図であって、（ａ）は斜視図、（ｂ）は平面図である。
【発明を実施するための形態】
【０００８】
以下、図面を参照して、本発明の一実施形態について詳細に説明する。なお、以下では、説明の便宜上、方向が規定されている。ここでは、一例として、表示装置１の表示部２が可動範囲の中央にある状態で、当該表示部２の前面視（正面視）で右方向（後面視（背面視）では左方向）をＸ方向、上方向をＹ方向、奥行き方向（前方向）をＺ方向とする。各図には、表示装置１に組み付けられた状態での方向を示す矢印が記載される。
【０００９】
図１〜３に示すように、本実施形態にかかる表示装置１は、机上等に載置される台座部３と、ＬＣＤ（Liquid Crystal Display）等のディスプレイユニット４を内蔵した表示部２と、表示部２に接続されて台座部３に回動軸Ａｘ回りに回動可能に支持された接続部５と、を備えている。
【００１０】
台座部（基部）３は、図１，５に示すように、平面視では矩形状（長方形状）で上下方向に比較的薄い扁平な形状を有している。台座部３の上面３ａには、少なくとも一部が円弧形状を有した開口部をなす貫通孔３ｂが設けられている。貫通孔３ｂは、本実施形態では円形に形成されている。この貫通孔３ｂ（開口部）から、接続部５の突出部６が、台座部３上に突出し、露出している。すなわち、突出部６は露出部に相当する。
【００１１】
表示部２は、図１，２に示すように、前面２ａと、その反対側に位置する後面２ｂとを有し、前後方向に薄く前面視では横長の長方形状の外観を呈する扁平な直方体状に構成されている。ディスプレイユニット４の前面４ａを覆う筐体２ｃの一部としてのフロントマスク２ｄには、矩形状の開口部２ｅが設けられている。この開口部２ｅからは、ディスプレイユニット４の前面４ａが露出している。本実施形態では、ディスプレイユニット４の前面４ａのうち、開口部２ｅから露出した部分が、表示画面４ｂである。図１，２から明らかとなるように、表示画面４ｂは起立している。
【００１２】
表示部２の筐体２ｃ内には、ディスプレイユニット４の他、ＣＰＵ（Central Processing Unit）等の電子部品が実装された基板や、その他の電子部品等（いずれも図示せず）が内蔵されている。ディスプレイユニット４は、基板に実装された電子部品等で構成された制御回路に含まれる映像信号処理回路（いずれも図示せず）から映像信号を受け取り、表示画面４ｂに、静止画や動画等の映像を表示させる。表示装置１がテレビジョン装置として構成される場合、表示装置１の制御回路は、例えば、映像信号処理回路の他、いずれも図示しないチューナ部や、ＨＤＭＩ（High-Definition Multimedia Interface）信号処理部、ＡＶ（Audio Video）入力端子、リモコン信号受信部、制御部、セレクタ、オンスクリーンディスプレイインタフェース、記憶部（例えば、ＲＯＭ（Read Only Memory）、ＲＡＭ（Random Access Memory）、ＨＤＤ（Hard Disk Drive）等）、音声信号処理回路等を有する。基板は、筐体２ｃ内のディスプレイユニット４の後方（背面側）に収容される。また、表示装置１がコンピュータとして構成される場合、表示装置１の制御回路は、例えば、制御部（例えば、ＣＰＵ等）や、記憶部（例えば、ＲＯＭ（Read Only Memory）、ＲＡＭ（Random Access Memory）、ＨＤＤ（Hard Disk Drive）等）、ディスプレイドライバ、通信インタフェース等を有する。また、表示装置１は、音声出力用のアンプやスピーカ等（図示せず）も備えている。
【００１３】
接続部５の一部である突出部６は、図３に示すように、表示部２の後面２ｂの下部に、ブラケット７等を介して、ねじ留め等によって接続されている。また、接続部５は、台座部３の上側部材３ｃおよび下側部材３ｄ（図６，８，９等参照）の間に挟持された円盤状または円環状（本実施形態では一例として円環状）の被挟持部８を有している。被挟持部８（すなわち接続部５）は、台座部３に、上下方向に延びた回動軸Ａｘ回りに回動可能に支持されている。貫通孔３ｂの縁は、回動軸Ａｘを中心とする円形である。また、被挟持部８の内周面８ａは、回動軸Ａｘを中心とする円筒の内周面である。貫通孔３ｂの直径と内周面８ａの直径はほぼ同じである。突出部６は、被挟持部８の内周側の一部に接続されている。図３〜５に示すように、突出部６は、回動軸Ａｘを含む異なる二つの平面のそれぞれの一部である二つの前面６ａと、回動軸Ａｘを中心とする円筒の外周面である後面６ｂと、を有している。本実施形態では、一例として、二つの前面６ａは直交している。よって、突出部６の外周の横断面は、中心角が９０°の扇形である。そして、前面６ａは、可視光線を反射する鏡面として構成されている。このような構成では、図４に示すように、鏡面として構成される前面６ａには、貫通孔３ｂや、上面３ａ、内周面８ａ等の鏡像Ｉｍが映し出され、しかもその鏡像Ｉｍは、視覚的に、貫通孔３ｂや内周面８ａの実像に連続し、その実像とともに、一連の円や円筒等の回転体を形成する。すなわち、本実施形態によれば、視覚的に、突出部６（接続部５）が存在せず表示部２が浮いているか、あるいは突出部６が透明な部材で構成されているかのような、錯覚が生じる。このような鏡像Ｉｍは、前面６ａが回動軸Ａｘを含む平面の一部となる鏡面（反射面）として構成されるとともに、貫通孔３ｂや内周面８ａが当該回動軸Ａｘを中心とする回転体として構成されることで、得ることができる。すなわち、内周面８ａは、円筒の内周面であることは必須ではなく、回動軸Ａｘを中心とする回転体の一部であればよい。また、二つの前面（鏡面）６ａは、相互に直交することは必須ではないし、回動軸Ａｘを含む平面状の前面（鏡面）６ａが一つだけの場合にも、同様の効果を得ることができる。
【００１４】
さらに、本実施形態では、鏡面としての前面６ａが、貫通孔３ｂから下方へ延びることで、その前面６ａに、台座部３の上部のみならず下部も映し出されて鏡像Ｉｍの範囲が下方へ拡大し、当該鏡像Ｉｍに入る物体の輪郭線などが増えるため、錯覚がより生じやすくなる。
【００１５】
また、本実施形態では、突出部６（接続部５）が、台座部（基部）３に、移動可能に連結されている。具体的には、突出部６は、開口部をなす貫通孔３ｂの円弧形状の内周側に位置するとともに、貫通孔３ｂの円弧形状をなす縁に沿って、回動軸Ａｘ回りに回動する。このような構成により、表示部２の表示画面４ｂの角度が変化することができる。また、突出部６（接続部５）の回動位置によらず、上述した視覚的効果（錯覚）を得ることができる。
【００１６】
図６に示すように、台座部３は、比較的剛性の高い材料（例えば金属材料等）で構成される本体部としての上側部材３ｃおよび下側部材３ｄと、主として側方を覆うサイドカバー３ｅと、主として上方を覆うトップカバー３ｆと、を有している。
【００１７】
下側部材３ｄは、図６，７に示すように、矩形板状の底板部３ｇと、底板部３ｇから上方に向けて畝状に突出したフレーム３ｈ，３ｉと、を有している。また、下側部材３ｄの中央には、回動軸Ａｘを中心として上側部材３ｃに設けられた貫通孔３ｂと上下に重なり合う円形の貫通孔３ｊが設けられている。台座部３には、被挟持部８の筒内部も含めて上下方向に延びる貫通孔３ｋ（図４，５参照）が設けられる。すなわち、貫通孔３ｋの上縁は、貫通孔（上側の開口部）３ｂであり、下縁は貫通孔（下側の開口部）３ｊであり、中間部は被挟持部８の筒内部であり、中心軸は回動軸Ａｘである。また、貫通孔３ｊの周囲には、円環状の天板部３ｍが設けられている。天板部３ｍからは放射状に複数のフレーム３ｈが延び、矩形状のフレーム３ｉに接続されている。
【００１８】
また、この下側部材３ｄでは、天板部３ｍの内側に、図８，９にも示すように、下方に向けて縮径する筒状の縦壁部３ｎと、縦壁部３ｎの下端から内側に延出した一定幅で環状かつ板状のフランジ部３ｏと、が設けられている。図８，９に示すように、接続部５の被挟持部８は、フランジ部３ｏの上に配置される。なお、下側部材３ｄは、プレス成形等で構成することができる。
【００１９】
上側部材３ｃは、図６，７に示すように、円環状かつ板状に構成される。上側部材３ｃにも回動軸Ａｘを中心とする貫通孔３ｐが設けられている。この貫通孔３ｐの周囲は、一定幅で比較的低い高さで上側に膨出している。この部分に、内側に延出した一定幅で環状かつ板状のフランジ部３ｑが設けられている。図８，９に示すように、接続部５の被挟持部８は、フランジ部３ｑの下に配置される。なお、上側部材３ｃも、プレス成形等で構成することができる。
【００２０】
接続部５の被挟持部８は、図８，９に示すように、上側部材３ｃのフランジ部３ｑと、下側部材３ｄのフランジ部３ｏとによって、上下方向（Ｙ方向）に挟まれる。ただし、被挟持部８と上側部材３ｃおよび下側部材３ｄとの間には、それぞれ、環状かつ板状の摺接プレート９が介在している。このように、本実施形態によれば、表示部２を回動可能に支持する回動支持機構を、比較的薄く構成することができる。
【００２１】
また、図８，９に示すように、被挟持部８の外周面８ｂは、下方に向かうにつれて縮径し、縦壁部３ｎと隙間をあけて対向している。縦壁部３ｎは、被挟持部８（接続部５）が横方向にずれるのを抑制するとともに、表示部２の質量等によって上方から下方へ作用する荷重の受け部としても機能する。
【００２２】
摺接プレート９（９Ａ）の摺接面９ａには、図１０に示すような周方向に沿った溝９ｂまたはリブ９ｃ（本実施形態では両方）が設けられている。溝９ｂは、グリスが塗布された際のグリス保持部として機能し、潤滑性を維持しやすくなる効果をもたらす。摺接プレート９は、摺動性の比較的高い合成樹脂材料等で形成されている。なお、図１０には、下側の摺接プレート９Ａのみが示されるが、溝９ｂおよびリブ９ｃに関しては、上側の摺接プレート９Ｂも同じ構造である。上側の摺接プレート９Ｂでは、その下面に、溝９ｂおよびリブ９ｃが設けられている。
【００２３】
また、図１０に示す下側の摺接プレート９Ａには、貫通孔９ｄが設けられている。この貫通孔９ｄを、図９に示すように、下側部材３ｄに設けられた突起３ｒが貫通することで、摺接プレート９Ａが、下側部材３ｄに係合される。
【００２４】
一方、上側の摺接プレート９Ｂには、図６，７，９に示すように、上方に向けて突出する突起９ｅが設けられている。この突起９ｅが、上側部材３ｃに設けられた切欠３ｓに挿入されることで、摺接プレート９Ｂが、上側部材３ｃに係合される。
【００２５】
また、本実施形態では、フランジ部３ｑの下面とフランジ部３ｏの上面との間の寸法が、被挟持部８と二つの摺接プレート９との合計の厚さの寸法より小さく設定されている。このため、締結具１５（図８，９参照）等を締め付けるなどして、上側部材３ｃと下側部材３ｄとが結合されると、摺接プレート９のリブ９ｃの先端が押し潰される。すなわち、リブ９ｃが設けられたことによって、摺接プレート９の上面あるいは下面が平坦面である場合に比べて、摺接プレート９が潰れやすくなり、製造ばらつき（誤差）をより吸収しやすくなる。
【００２６】
また、図５，６に示すサイドカバー３ｅおよびトップカバー３ｆは、いずれも、比較的軽量な材料（例えば合成樹脂材料等）で構成される。サイドカバー３ｅには、所要の剛性および強度を得るため、適宜に凹凸形状が設けられている。サイドカバー３ｅの側面３ｔおよびトップカバー３ｆの上面３ａは、台座部３の露出面（外面、意匠面）である。
【００２７】
接続部５は、図６に示すように、本体部１０と、この本体部１０を覆うカバー１１とを有する。本体部１０は、比較的剛性の高い金属材料等（例えばアルミニウム合金等）で構成される。また、カバー１１は、比較的軽量な合成樹脂材料等で構成される。そして、カバー１１の外面１１ａの一部が露出面（外面、意匠面）である。鏡面として構成される突出部６の前面６ａも、カバー１１の外面１１ａの一部である。なお、本実施形態では、被挟持部８の内周面８ａとしての内周面１１ｂも、鏡面として構成される。これら前面６ａや内周面１１ｂの鏡面は、例えば、蒸着や、金属材料等の薄膜やフィルム等の貼付等によって、形成することができる。また、カバー１１は、使用者等がカバー１１を把持したときに本体部１０から外れないよう、本体部１０に、ねじ留め等で固定されるのが好適である。
【００２８】
図１１に示すように、本体部１０（接続部５）の被挟持部８には、回動軸Ａｘを中心とした一定幅で円弧状のスリット１０ａが設けられている。図９に示すように、スリット１０ａには、下側の摺接プレート９Ａの係合に用いられる下側部材３ｄの突起３ｒが挿入されている。接続部５の回動軸Ａｘ回りの回動について、突起３ｒはスライダ、スリット１０ａはレールとして、機能する。すなわち、本実施形態では、突起３ｒおよびスリット１０ａによって、接続部５を回動軸Ａｘ回りに案内するとともに接続部５の回動範囲を定める案内機構が構成されている。
【００２９】
これにより、図１２に示すように、接続部５は、台座部３に対して、回動軸Ａｘ回りに回動する。図１２の（ａ）は、接続部５が回動範囲の中央に位置した状態、（ｂ）は、接続部５が回動範囲の時計回り方向の端部に位置した状態、（ｃ）は、接続部５が回動範囲の反時計回り方向の端部に位置した状態を示す図である。突起３ｒがスリット１０ａの端部に周方向に係止されることで、接続部５の回動範囲が規制される。
【００３０】
本実施形態では、上述したような構成によって、図２に示すように、回動軸Ａｘと、突出部６の中心軸Ｃとを、ずらすことができる。回動軸Ａｘと中心軸Ｃとがずれたことにより、デザインの自由度が高まって美観を向上させやすくなる。また、表示画面４ｂの回動中心の位置や回動した際の姿勢等を、突出部６の位置によらずに設定することができる。一例としては、表示画面４ｂの中心を回動軸Ａｘとして設定することもできる。
【００３１】
また、従来のように、突出部６の上下方向に沿った中心軸Ｃ（突出部６の重心を通る軸）と回動軸とが一致していると、突出部６は、表示画面４ｂの背面側で表示部２に接続されるため、回動軸が後方側に配置されやすい。しかしながら、図１３に示すように、表示部２が後方側の回動軸Ａｘｂを中心として回動する構成では、後方に例えば壁Ｗ等の障害物が存在した場合には、二点鎖線で示すように、回動範囲（−α〜＋α）が比較的小さくなる（マイナス側は図示省略）。これに対し、表示部２が前方側の回動軸Ａｘｆを中心として回動する構成では、一点鎖線で示すように、回動範囲（−β〜＋β，β＞α）が比較的大きくなる（マイナス側は図示省略）。よって、本実施形態では、図２に示すように回動軸Ａｘが突出部６の中心軸Ｃより前方に配置されたことで、回動軸が突出部６の中心に存在した場合に比べて、回動範囲を大きくしやすくなる。なお、このような構成は、回動軸Ａｘが突出部６の前部（表示画面４ｂ側、前面６ａ上を含む）または突出部６の前方（表示画面４ｂが指向する方向、法線方向、Ｚ方向）に位置した構成と言うこともできる。
【００３２】
また、突出部６に、表示部２を回動支持する機構が内蔵された場合には、突出部６が大きくなりやすく、美観が損なわれやすい。しかし、本実施形態では、台座部３内に、挟持部としてのフランジ部３ｏ，３ｑや、摺接プレート９、被挟持部８等が収容された接続部５の回動支持機構が設けられ、突出部（露出部）６が表示部２とともに回動する構成である。よって、突出部６は、表示部２を支持するのに必要な剛性や強度が得られる範囲で、より小型に構成しやすい。
【００３３】
また、図８，１１等から明らかとなるように、本実施形態では、突出部６が、被挟持部８に径外側を片持ち支持された状態で、径内側に向けて張り出している。したがって、被挟持部８と突出部６との境界部分Ｂの応力が、表示部２に作用する重力によって高くなりやすい。
【００３４】
そこで、本実施形態では、図８，１４等に示すように、突出部６の下面６ｃに、突出部６が支持される被支持部１２が設けられている。被支持部１２は、突出部６の下部にねじ留め等によって取り付けられるベース部１２ａと、ベース部１２ａから少なくとも下方に露出した状態でベース部１２ａに転動可能に支持されたローラ１２ｂと、を有する。ローラ１２ｂは、例えばボールやニードル等として構成することができる。本実施形態では、突出部６が被支持部１２でテーブル１６（図３参照）等に支持されるため、境界部分Ｂに生じる応力が小さくなりやすい。また、被支持部１２がローラ１２ｂを有するため、接続部５が回動する際に、被支持部１２による抵抗を低減することができる。なお、被支持部１２と突出部６（接続部５）との間には、緩衝部材あるいは寸法誤差を吸収する部材として、エラストマ等の弾性部材（図示せず）を介在させることができる。
【００３５】
また、本実施形態では、図８，１４等に示すように、一端側が被挟持部８に接続されるとともに他端側が突出部６に接続されて境界部分Ｂを跨ぐ架設部材１３が設けられている。架設部材１３は、例えば金属材料の板材として構成されている。架設部材１３は、被挟持部８の下面８ｃ、ならびに突出部６に設けられた下方へ開口する凹部６ｄの底面６ｅに、それぞれねじ１４等によって固定されている。架設部材１３は、図８に示すように、被挟持部８側から突出部６側へ向けて前方（Ｚ方向）かつ上方（Ｙ方向）に延びている。この架設部材１３は、所定の剛性および強度を有しており、補強部材として機能することができる。また、架設部材１３は、万一、接続部５が境界部分Ｂで折損し、突出部６と被挟持部８とが分離した場合にあっても、突出部６が倒れるのを抑制する傾倒抑制部材（フェイルセーフ部材）としても機能することができる。すなわち、表示部２の重心が境界部分Ｂより前方に位置する構成で接続部５が境界部分Ｂで折損した場合に、突出部６ひいては表示部２が前方へ向けて傾倒するのを抑制することができる。
【００３６】
以上、本発明の好適な実施形態について説明したが、本発明は上記実施形態には限定されず、種々の変形が可能である。例えば、上記実施形態では、回動軸は突出部の中心軸に対して前方へずれていたが、他の方向へずれた構成とすることもできる。また、被支持部は、ローラを有さない構成とすることもできる。また、台座部の上面の開口部は、円形であることは必須ではなく、少なくとも一部に円弧形状を有した形状であればよい。
【００３７】
また、本発明は、表示画面を有した電子機器として実施することができ、例えば、テレビジョン装置以外の表示装置や、電子機器用の表示装置、パーソナルコンピュータとして構成された表示装置として実施することができる。
【００３８】
また、電子機器や、表示装置、台座部、基部、開口部、貫通孔、表示部、突出部、露出部、接続部、二つの部材（上側部材および下側部材）、被挟持部、貫通孔、架設部材、被支持部、ローラ、摺接プレート、溝、リブ、鏡面等のスペック（構造や、形状、材質、大きさ、長さ、幅、厚さ、高さ、数、配置、位置等）は、適宜変更して実施することができる。
【００３９】
本発明の実施形態によれば、表示部の支持機能あるいはスイベル機能をより高いレベルで両立させやすい構成を備えた表示装置および電子機器を得ることができる。
【符号の説明】
【００４０】
１…表示装置（電子機器）、２…表示部、３…台座部（基部）、３ｂ…貫通孔（開口部）、３ｏ…フランジ部（二つの部材のうち一つ）、３ｑ…フランジ部（二つの部材のうちもう一つ）、４ｂ…表示画面、５…接続部、６…突出部（露出部）、６ａ…前面（鏡面）、８…被挟持部、８ａ…内周面（内面）、９，９Ａ，９Ｂ…摺接プレート、９ａ…摺接面、９ｂ…溝、９ｃ…リブ、１２…被支持部、１２ｂ…ローラ、１３…架設部材、Ａｘ…回動軸、Ｃ…中心軸。
【図１】
2012098414.tif 000003
【図２】
2012098414.tif 000004
【図３】
2012098414.tif 000005
【図４】
2012098414.tif 000006
【図５】
2012098414.tif 000007
【図６】
2012098414.tif 000008
【図７】
2012098414.tif 000009
【図８】
2012098414.tif 000010
【図９】
2012098414.tif 000011
【図１０】
2012098414.tif 000012
【図１１】
2012098414.tif 000013
【図１２】
2012098414.tif 000014
【図１３】
2012098414.tif 000015
【図１４】
2012098414.tif 000016
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持された被挟持部と、当該被挟持部に接続され前記第二の貫通孔を貫通して前記基部上に突出した突出部と、を有し、前記第一および第二の貫通孔と重なった第三の貫通孔が設けられた接続部と、
を備え、
前記回動軸が、前記突出部の上下方向に沿った中心軸よりも前記表示画面側に位置された表示装置。
【請求項２】
一端側が前記被挟持部に接続され他端側が前記突出部に接続された架設部材を備えた請求項１に記載の表示装置。
【請求項３】
前記突出部の下面に被支持部が設けられた請求項１または２に記載の表示装置。
【請求項４】
前記被支持部が、下方に露出した転動可能なローラを有した請求項３に記載の表示装置。
【請求項５】
前記第一および第二の部材のうち少なくとも一方と前記被挟持部との間に挟まれて前記部材および前記被挟持部のうち少なくとも一方と摺接するプレートを備えた請求項１〜４のうちいずれか一つに記載の表示装置。
【請求項６】
前記プレートの摺接面に、周方向に沿った溝またはリブが設けられた請求項５に記載の表示装置。
【請求項７】
前記被挟持部の径内側の内面が、前記回動軸を中心とする回転体の一部として構成されるとともに、前記第二の貫通孔を介して露出し、
前記突出部が、前記回動軸を含む平面の一部となる鏡面を有した請求項１〜６のうちいずれか一つに記載の表示装置。
【請求項８】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持された被挟持部と、当該被挟持部に接続され前記第二の貫通孔を貫通して前記基部上に露出した露出部と、を有し、前記第一および第二の貫通孔と重なった第三の貫通孔が設けられた接続部と、
を備え、
前記露出部が、前記回動軸に対して当該回動軸の径方向の一方側に偏った状態で前記基部上に露出した表示装置。
【請求項９】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持された被挟持部と、当該被挟持部に接続され前記第二の貫通孔を貫通して前記基部上に突出した突出部と、を有し、前記第一および第二の貫通孔と重なった第三の貫通孔が設けられた接続部と、
を備え、
前記回動軸が、前記突出部の上下方向に沿った中心軸よりも前記表示画面側に位置された電子機器。
【請求項１０】
表示画面を有した表示部と、
少なくとも一部が円弧形状を有した貫通孔が設けられた基部と、
前記表示部を支持するとともに、前記円弧形状の内周側に位置され前記貫通孔を介して上方に露出した露出部を有し、前記貫通孔と重なった第二貫通孔が設けられ、前記円弧形状に沿って移動可能に前記円弧形状の外周側で前記基部と連結された接続部と、
を備えた電子機器。
【手続補正２】
【補正対象書類名】明細書
【補正対象項目名】０００６
【補正方法】変更
【補正の内容】
【０００６】
本発明の実施形態にかかる表示装置にあっては、第一の貫通孔が設けられた第一の部材と、第一の貫通孔と重なった第二の貫通孔が設けられ第一の部材の上側に位置された第二の部材と、を有した基部と、起立した表示画面を有した表示部と、上下方向に沿った回動軸回りに回動可能に第一の部材と第二の部材とに挟持された被挟持部と、当該被挟持部に接続され第二の貫通孔を貫通して基部上に突出した突出部と、を有し、第一および第二の貫通孔と重なった第三の貫通孔が設けられた接続部と、を備え、回動軸が、突出部の上下方向に沿った中心軸よりも表示画面側に位置されたことを、特徴の一つとする。
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持され前記第一および第二の貫通孔と重なった第三の貫通孔が設けられ前記回動軸を中心とする環状の被挟持部と、当該被挟持部に接続され前記第二の貫通孔を貫通して前記基部上に突出した突出部と、を有した接続部と、
を備え、
前記回動軸が、前記突出部の上下方向に沿った中心軸よりも前記表示画面側に位置された表示装置。
【請求項２】
一端側が前記被挟持部に接続され他端側が前記突出部に接続された架設部材を備えた請求項１に記載の表示装置。
【請求項３】
前記突出部の下面に被支持部が設けられた請求項１または２に記載の表示装置。
【請求項４】
前記被支持部が、下方に露出した転動可能なローラを有した請求項３に記載の表示装置。
【請求項５】
前記第一および第二の部材のうち少なくとも一方と前記被挟持部との間に挟まれて前記部材および前記被挟持部のうち少なくとも一方と摺接するプレートを備えた請求項１〜４のうちいずれか一つに記載の表示装置。
【請求項６】
前記プレートの摺接面に、周方向に沿った溝またはリブが設けられた請求項５に記載の表示装置。
【請求項７】
前記被挟持部の径内側の内面が、前記回動軸を中心とする回転体の一部として構成されるとともに、前記第二の貫通孔を介して露出し、
前記突出部が、前記回動軸を含む平面の一部となる鏡面を有した請求項１〜６のうちいずれか一つに記載の表示装置。
【請求項８】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持され前記第一および第二の貫通孔と重なった第三の貫通孔が設けられ前記回動軸を中心とする環状の被挟持部と、当該被挟持部に接続され前記第二の貫通孔を貫通して前記基部上に露出した露出部と、を有した接続部と、
を備え、
前記露出部が、前記回動軸に対して当該回動軸の径方向の一方側に偏った状態で前記基部上に露出した表示装置。
【請求項９】
第一の貫通孔が設けられた第一の部材と、前記第一の貫通孔と重なった第二の貫通孔が設けられ前記第一の部材の上側に位置された第二の部材と、を有した基部と、
起立した表示画面を有した表示部と、
上下方向に沿った回動軸回りに回動可能に前記第一の部材と前記第二の部材とに挟持され前記第一および第二の貫通孔と重なった第三の貫通孔が設けられ前記回動軸を中心とする環状の被挟持部と、当該被挟持部に接続され前記第二の貫通孔を貫通して前記基部上に突出した突出部と、を有した接続部と、
を備え、
前記回動軸が、前記突出部の上下方向に沿った中心軸よりも前記表示画面側に位置された電子機器。
【手続補正２】
【補正対象書類名】明細書
【補正対象項目名】０００６
【補正方法】変更
【補正の内容】
【０００６】
本発明の実施形態にかかる表示装置にあっては、第一の貫通孔が設けられた第一の部材と、第一の貫通孔と重なった第二の貫通孔が設けられ第一の部材の上側に位置された第二の部材と、を有した基部と、起立した表示画面を有した表示部と、上下方向に沿った回動軸回りに回動可能に第一の部材と第二の部材とに挟持され第一および第二の貫通孔と重なった第三の貫通孔が設けられ回動軸を中心とする環状の被挟持部と、当該被挟持部に接続され第二の貫通孔を貫通して基部上に突出した突出部と、を有した接続部と、を備え、回動軸が、突出部の上下方向に沿った中心軸よりも表示画面側に位置されたことを、特徴の一つとする。